(57)【要約】【課題】搬送された記録紙が分離部材の先端とローラとの間に入り込むことがないようにする。【解決手段】定着用のローラと、揺動に伴って先端８２が前記ローラに接離させられる分離部材と、該分離部材を揺動自在に支持し、搬送された記録紙１５と接触させられる記録紙案内部を備え、揺動自在に配設されたホルダ４７とを有する。記録紙案内部が、押されるのに伴って前記ホルダ４７が揺動させられると、前記分離部材の先端８２が前記ローラから離間させられ、先端８２がローラから離間させられているときに、分離部材の先端８２が、搬送された記録紙１５によって押されるのに伴って、ローラ側に揺動させられる。用紙詰りが発生した場合、ホルダ４７は、スプリングの付勢力に抗して回動させられるが、分離部材は記録紙１５によって押されて反対の方向に回動させられる。【選択図】図１
2006126876.tif 000002
【特許請求の範囲】
【請求項１】
（ａ）定着用のローラと、
（ｂ）揺動自在に配設され、揺動に伴って先端が前記ローラに接離させられる分離部材と、
（ｃ）該分離部材を揺動自在に支持し、搬送された記録紙と接触させられる記録紙案内部を備え、揺動自在に配設されたホルダとを有するとともに、
（ｄ）前記記録紙案内部が、搬送された記録紙によって押されるのに伴って前記ホルダが揺動させられると、前記分離部材の先端が前記ローラから離間させられ、
（ｅ）前記分離部材の先端が前記ローラから離間させられているときに、前記分離部材の先端が、搬送された記録紙によって押されるのに伴って、前記ローラ側に揺動させられることを特徴とする定着装置。
【請求項２】
前記分離部材に、先端の離間量を設定するためのストッパ部が配設される請求項１に記載の定着装置。
【発明の詳細な説明】
【技術分野】
【０００１】
本発明は、定着装置に関するものである。
【背景技術】
【０００２】
従来、電子写真記録装置においては、感光体ドラムの表面が、帯電装置によって一様に、かつ、均一に帯電させられ、露光装置によって露光されて静電潜像が形成される。そして、該静電潜像は現像装置によって現像されてトナー像になり、該トナー像は、転写装置によって記録紙に転写され、定着装置によって定着される。
【０００３】
図２は従来の定着装置の断面図、図３は従来の分離爪ユニットの要部平面図である。
【０００４】
図において、１１は定着部であり、該定着部１１は、回転自在に配設されたヒートローラ１２、該ヒートローラ１２の下方において回転自在に配設され、図示されないスプリング等の付勢手段によってヒートローラ１２に押し付けられるバックアップローラ１３、前記ヒートローラ１２及びバックアップローラ１３を収容する定着部ケーシング１４、並びに該定着部ケーシング１４に対して揺動自在に配設され、記録紙１５がヒートローラ１２に巻き付いて付着した場合に記録紙１５を分離させる分離爪ユニット８０を備える。なお、前記ヒートローラ１２内に加熱源としてのハロゲンランプ１２ａが配設される。
【０００５】
そして、前記分離爪ユニット８０は、ほぼ三角形の形状を有する分離爪１６、該分離爪１６によって分離させられた記録紙１５を後方 (図２における右方) に案内するガイドローラ１７、及び所定の付勢力によって前記分離爪１６の先端８２をヒートローラ１２に押し付けるスプリング１８を備える。なお、前記分離爪１６は、軸８１によって揺動自在に支持され、前記ガイドローラ１７は、軸８３によって分離爪１６に対して回転自在に支持される。
【０００６】
そして、定着部１１の後方には排出機構部２２が配設され、該排出機構部２２は、回転自在に配設された搬送ローラ１９、該搬送ローラ１９の上方において回転自在に配設され、かつ、搬送ローラ１９に押し付けられるピンチローラ２０、及び所定の付勢力によって該ピンチローラ２０を搬送ローラ１９に押し付ける板ばね２１を備える。
【０００７】
次に、前記構成の定着装置の動作について説明する。
【０００８】
まず、図示されない感光体ドラム上のトナー像が、図示されない転写装置によって記録紙１５に転写され、トナー像が転写された後の記録紙１５は、前記感光体ドラムの回転に伴って矢印Ａ方向にほぼ水平に搬送され、定着部１１に送られる。そして、定着部１１に到達した記録紙１５は、矢印方向に回転させられるヒートローラ１２及びバックアップローラ１３によって挟まれて加圧されるとともに、ヒートローラ１２によって加熱される。その結果、記録紙１５にトナー像が定着され、印刷が終了する。
【０００９】
そして、トナー像が定着された記録紙１５は、ヒートローラ１２及びバックアップローラ１３の回転に伴って更に搬送され、排出機構部２２に送られ、搬送ローラ１９及びピンチローラ２０の回転に伴って排出される。
【００１０】
次に、前記分離爪ユニット８０の動作について説明する。
【００１１】
この場合、印刷の待機状態において、分離爪１６は、図２における破線で示される位置に置かれ、先端８２はヒートローラ１２に接触させられる。そして、記録紙１５の前端が分離爪１６の突出部１６ａに接触すると、分離爪１６は、記録紙１５によって押されてスプリング１８の付勢力に抗して矢印Ｂ方向に回動させられ、図２における実線で示される位置に移動する。このとき、前記先端８２はヒートローラ１２から離される。なお、分離爪１６のストッパ部１６ｂが定着部ケーシング１４に突き当たると、分離爪１６のそれ以上の回動が規制され、このとき、先端８２がヒートローラ１２から離される量、すなわち、離間量は最大値ｔになる。
【００１２】
続いて、記録紙１５は搬送ローラ１９及びピンチローラ２０によって更に搬送され、記録紙１５の後端が突出部１６ａを通過すると、分離爪１６は再び図２における破線で示される位置に戻り、待機状態に置かれる（例えば、特許文献１参照。）。
【特許文献１】特開平８−３１４３１８号公報
【発明の開示】
【発明が解決しようとする課題】
【００１３】
しかしながら、前記従来の定着装置においては、何らかの原因によって記録紙１５が蛇腹状になり用紙詰りが発生した場合、分離爪３６が、スプリング１８の付勢力に抗して矢印Ｂ方向に回動させられると、先端８２がヒートローラ１２から離され、記録紙１５が先端８２とヒートローラ１２との間に入り込んでしまうことがある。
【００１４】
この場合、記録紙１５を引っ張って用紙詰りを解除しようとすると、記録紙１５が先端８２に引っ掛かって破れ、記録紙１５の紙片が先端８２とヒートローラ１２との間に残ってしまう。
【００１５】
本発明は、前記従来の定着装置の問題点を解決して、搬送された記録紙が分離部材の先端とローラとの間に入り込むことがない定着装置を提供することを目的とする。
【課題を解決するための手段】
【００１６】
そのために、本発明の定着装置においては、定着用のローラと、揺動自在に配設され、揺動に伴って先端が前記ローラに接離させられる分離部材と、該分離部材を揺動自在に支持し、搬送された記録紙と接触させられる記録紙案内部を備え、揺動自在に配設されたホルダとを有する。
【００１７】
そして、前記記録紙案内部が、搬送された記録紙によって押されるのに伴って前記ホルダが揺動させられると、前記分離部材の先端が前記ローラから離間させられ、前記分離部材の先端が前記ローラから離間させられているときに、前記分離部材の先端が、搬送された記録紙によって押されるのに伴って、前記ローラ側に揺動させられる。
【発明の効果】
【００１８】
本発明によれば、定着装置においては、定着用のローラと、揺動自在に配設され、揺動に伴って先端が前記ローラに接離させられる分離部材と、該分離部材を揺動自在に支持し、搬送された記録紙と接触させられる記録紙案内部を備え、揺動自在に配設されたホルダとを有する。
【００１９】
そして、前記記録紙案内部が、搬送された記録紙によって押されるのに伴って前記ホルダが揺動させられると、前記分離部材の先端が前記ローラから離間させられ、前記分離部材の先端が前記ローラから離間させられているときに、前記分離部材の先端が、搬送された記録紙によって押されるのに伴って、前記ローラ側に揺動させられる。
【００２０】
この場合、何らかの原因によって記録紙が蛇腹状になり用紙詰りが発生した場合、ホルダは、記録紙によって押されて、スプリングの付勢力に抗して回動させられるが、前記分離部材は記録紙によって押されて反対の方向に回動させられる。
【００２１】
したがって、分離部材の先端とローラとが接触させられるので、記録紙が先端とローラとの間に入り込むことがない。
【００２２】
その結果、記録紙を引っ張って用紙詰りを解除しようとしたときに、記録紙が先端に引っ掛かって破れてしまうことがないので、記録紙の紙片が先端とローラとの間に残ることはない。
【発明を実施するための最良の形態】
【００２３】
以下、本発明の実施の形態について図面を参照しながら詳細に説明する。
【００２４】
図１は本発明の第１の実施の形態における定着装置の断面図、図４は本発明の第１の実施の形態における分離爪ユニットの要部平面図である。
【００２５】
図において、３１は定着部であり、該定着部３１は、回転自在に配設されたローラ部材としてのヒートローラ１２、該ヒートローラ１２の下方において回転自在に配設され、図示されないスプリング等の付勢手段によってヒートローラ１２に押し付けられるバックアップローラ１３、前記ヒートローラ１２及びバックアップローラ１３を収容する定着部ケーシング１４、並びに記録紙１５がヒートローラ１２に巻き付いて付着した場合に記録紙１５を分離させる分離爪ユニット８５を備える。なお、前記ヒートローラ１２内に加熱源としてのハロゲンランプ１２ａが配設される。
【００２６】
そして、前記分離爪ユニット８５は、ほぼ三角形の形状を有する分離爪３６、該分離爪３６によって分離させられた記録紙１５を後方 (図１における右方) に案内する第１、第２のガイドローラ３７ａ、３７ｂ、所定の付勢力によって第２のガイドローラ３７ｂを記録紙１５に、前記分離爪３６の先端８２をヒートローラ１２に押し付けるスプリング１８、及び所定の付勢力によって前記第２のガイドローラ３７ｂを下方に付勢するスプリング３９を備える。
【００２７】
前記分離爪３６は、軸８１によって前記定着部ケーシング１４に対して揺動自在に配設され、揺動に伴って先端８２がヒートローラ１２に接離させられる。また、前記第１、第２のガイドローラ３７ａ、３７ｂは、分離爪３６の揺動に伴って軸８１を中心にして揺動させられる。また、前記第１のガイドローラ３７ａは、軸８６によって分離爪３６に対して回転自在に、前記第２のガイドローラ３７ｂは、軸３８によって分離爪３６に対して回転自在に、かつ、長溝３６ｄ内を分離爪３６に対して相対的に移動自在に支持される。そして、前記スプリング３９は、軸８１の外周に巻装され、一端が分離爪３６の係止部３６ａに、他端が前記軸３８にそれぞれ係止させられる。なお、前記第１のガイドローラ３７ａは、記録紙１５を搬送するための搬送路において第２のガイドローラ３７ｂより上流側に配設される。
【００２８】
また、定着部３１の後方には排出機構部２２が配設され、該排出機構部２２は、回転自在に配設された搬送ローラ１９、該搬送ローラ１９の上方において回転自在に配設され、かつ、搬送ローラ１９に押し付けられるピンチローラ２０、及び所定の付勢力によって該ピンチローラ２０を搬送ローラ１９に押し付ける板ばね２１を備える。
【００２９】
次に、前記構成の定着装置の動作について説明する。
【００３０】
まず、図示されない感光体ドラム上のトナー像が、図示されない転写装置によって記録紙１５に転写され、トナー像が転写された後の記録紙１５は、前記感光体ドラムの回転に伴って矢印Ａ方向にほぼ水平に搬送され、定着部３１に送られる。そして、定着部３１に到達した記録紙１５は、矢印方向に回転させられるヒートローラ１２及びバックアップローラ１３によって挟まれて加圧されるとともに、ヒートローラ１２によって加熱される。その結果、記録紙１５にトナー像が定着され、印刷が終了する。
【００３１】
そして、トナーが定着された記録紙１５は、ヒートローラ１２及びバックアップローラ１３の回転に伴って更に搬送され、排出機構部２２に送られ、搬送ローラ１９及びピンチローラ２０の回転に伴って排出される。なお、１５ａは記録紙１５の印刷面である。
【００３２】
次に、前記分離爪ユニット８５の動作について説明する。なお、図１と同じ構造を有するものについては、同じ符号を付与することによってその説明を省略する。
【００３３】
図５は本発明の第１の実施の形態における分離爪ユニットの第１の状態を示す図、図６は本発明の第１の実施の形態における分離爪ユニットの第２の状態を示す図、図７は本発明の第１の実施の形態における分離爪ユニットの第３の状態を示す図である。
【００３４】
印刷の待機状態において、図５に示されるように、記録紙１５は分離爪３６及び第２のガイドローラ３７ｂに接触しておらず、分離爪３６の先端８２はヒートローラ１２に接触させられる。
【００３５】
そして、図６に示されるように、記録紙１５の前端が第２のガイドローラ３７ｂに接触すると、該第２のガイドローラ３７ｂは、記録紙１５によって押され、分離爪３６は、スプリング１８の付勢力に抗して矢印Ｂ方向に回動させられ、前記先端８２はヒートローラ１２から離される。なお、分離爪３６のストッパ部３６ｂが定着部ケーシング１４に突き当たると、分離爪３６のそれ以上の回動が規制され、このとき、先端８２がヒートローラ１２から離される量、すなわち、離間量は最大値ｔになる。
【００３６】
続いて、記録紙１５は搬送ローラ１９（図１）及びピンチローラ２０によって後方（図における右方）に搬送され、記録紙１５の後端が第２のガイドローラ３７ｂを通過すると、分離爪３６は、図５に示される待機状態に再び置かれる。
【００３７】
なお、図７は、図６に示される記録紙１５より腰の強い記録紙８８を使用したときの分離爪ユニット８５の状態を示す。
【００３８】
この場合、分離爪３６は図６と同じ位置に置かれ、分離爪３６のストッパ部３６ｂが定着部ケーシング１４に突き当たり、先端８２の離間量は最大値ｔになる。そして、前記軸３８は長溝３６ｄ内を上方に移動させられ、第２のガイドローラ３７ｂは上方に押し上げられる。
【００３９】
このように、本実施の形態においては、待機状態に置かれた分離爪３６の第２のガイドローラ３７ｂが記録紙１５の搬送路に対してオーバラップさせられていても、記録紙１５が搬送されるのに伴って第２のガイドローラ３７ｂが回転させられるので、印刷面１５ａと第２のガイドローラ３７ｂとが擦れることがなくなる。したがって、例えば、べた黒印刷を行った場合、印刷面１５ａにおける分離爪３６と接触する部分と接触しない部分とで光沢が等しくなるので、画像品位を向上させることができる。
【００４０】
また、腰の強い記録紙８８を使用した場合も同じ離間量が確保されるとともに、第２のガイドローラ３７ｂは上方に押し上げられるので、記録紙８８が受ける損傷を少なくすることができる。
【００４１】
次に、定着装置において用紙詰りが発生したときの状態について説明する。なお、図１と同じ構造を有するものについては、同じ符号を付与することによってその説明を省略する。
【００４２】
図８は本発明の第１の実施の形態における用紙詰りが発生したときの状態を示す図である。
【００４３】
図に示されるように、何らかの原因によって記録紙１５が蛇腹状になり用紙詰りが発生した場合、第２のガイドローラ３７ｂは、記録紙１５によって押され、分離爪３６は、スプリング１８の付勢力に抗して矢印Ｂ方向に回動させられ、先端８２はヒートローラ１２から離される。
【００４４】
このとき、記録紙１５が先端８２とヒートローラ１２との間に入り込んでしまうことがある。
【００４５】
この場合、記録紙１５を矢印Ｃ方向に引っ張って用紙詰りを解除しようとすると、記録紙１５が先端８２に引っ掛かって破れ、記録紙１５の紙片が先端８２とヒートローラ１２との間に残ってしまう。
【００４６】
そこで、記録紙１５が先端８２とヒートローラ１２との間に入り込むことがない本発明の第２の実施の形態について説明する。なお、第１の実施の形態と同じ構造を有するものについては、同じ符号を付与することによってその説明を省略する。
【００４７】
図９は本発明の第２の実施の形態における定着装置の断面図、図１０は本発明の第２の実施の形態における分離爪ユニットの要部平面図、図１１は本発明の第２の実施の形態における分離爪ユニットの要部背面図である。
【００４８】
図において、分離爪ユニット８９は、ほぼ三角形の形状を有する分離爪４６、該分離爪４６を揺動自在に支持するホルダ４７、前記分離爪４６によって分離させられた記録紙１５を後方 (図９における右方) に案内する第１、第２のガイドローラ４８ａ、４８ｂ、及び所定の付勢力によって、第２のガイドローラ４８ｂを記録紙１５に、前記分離爪４６の先端８２をローラ部材としてのヒートローラ１２に押し付けるスプリング１８を備える。前記ホルダ４７は、スプリング１８を所定箇所に位置決めするための保持部４７ａを、前記分離爪４６は、先端８２の離間量を設定するためのストッパ部４６ｂをそれぞれ備える。
【００４９】
前記ホルダ４７は、軸８１によって定着部ケーシング１４に対して揺動自在に配設され、前記分離爪４６は軸８１を中心にして前記定着部ケーシング１４及びホルダ４７に対して揺動自在に配設され、揺動に伴って先端８２がヒートローラ１２に接離させられる。したがって、前記第１、第２のガイドローラ４８ａ、４８ｂは、分離爪４６の揺動に伴って軸８１を中心にして揺動させられ、第２のガイドローラ４８ｂは分離爪４６に対して相対的に移動自在に配設される。
【００５０】
そして、前記第１のガイドローラ４８ａは、軸８６によって分離爪４６に対して回転自在に、前記第２のガイドローラ４８ｂは、軸３８によってホルダ４７に対して回転自在に支持される。
【００５１】
ところで、本実施の形態においては、用紙詰りが発生した場合でも、記録紙１５が先端８２とヒートローラ１２との間に入り込んでしまうことがないように、前記分離爪４６の所定箇所に分離爪保持部材としてのピン４６ｃが固定されるとともに、前記ホルダ４７に対する回動範囲を規制するために、ホルダ４７の縁部に第１、第２のストッパ部４７ｂ、４７ｃが突設させて形成される。
【００５２】
次に、前記構成の分離爪ユニット８９の動作について説明する。
【００５３】
図１２は本発明の第２の実施の形態における分離爪ユニットの第１の状態を示す図、図１３は図１２の背面図、図１４は本発明の第２の実施の形態における分離爪ユニットの第２の状態を示す図、図１５は図１４の背面図、図１６は本発明の第２の実施の形態における分離爪ユニットの第３の状態を示す図、図１７は図１６の背面図である。
【００５４】
待機状態において、図１２及び１３に示されるように、記録紙１５は分離爪４６及び第２のガイドローラ４８ｂに接触しておらず、分離爪４６の先端８２はヒートローラ１２に接触させられる。このとき、第２のストッパ部４７ｃにピン４６ｃが当接させられるので、分離爪４６はそれ以上自重により回動しない。
【００５５】
そして、図１４及び１５に示されるように、記録紙１５の前端が第２のガイドローラ４８ｂに接触すると、該第２のガイドローラ４８ｂは、記録紙１５によって押され、ホルダ４７は、スプリング１８の付勢力に抗して矢印Ｄ方向に回動させられる。このとき、ホルダ４７の回動に伴って分離爪４６が自重によって回動させられ、前記先端８２はヒートローラ１２から離される。なお、分離爪４６のストッパ部４６ｂが定着部ケーシング１４に当接させられると、それ以上の分離爪４６の回動が規制され、このとき、先端８２の離間量は最大値ｔになる。
【００５６】
続いて、記録紙１５は搬送ローラ１９（図９）及びピンチローラ２０によって後方に搬送され、記録紙１５の後端が第２のガイドローラ４８ｂを通過すると、分離爪４６は、図１２及び１３に示される待機状態に再び置かれる。
【００５７】
そして、図１６及び１７は、図１４及び１５に示される記録紙１５より腰の強い記録紙８８を使用したときの分離爪ユニット８９の状態を示す。
【００５８】
この場合、分離爪４６は図１４及び１５と同じ位置に置かれ、分離爪４６のストッパ部４６ｂが定着部ケーシング１４に突き当たり、先端８２の離間量は最大値ｔになる。そして、軸３８は長溝３６ｄ（図１）内を上方に移動させられ、第２のガイドローラ４８ｂは上方に押し上げられる。このとき、先端８２の離間量は最大値ｔを保持した状態にあり、図１４及び１５に示される位置と同じであるが、ホルダ４７及びガイドローラ４８ｂは上方に押し上げられる。
【００５９】
このように、本実施の形態においては、待機状態に置かれた分離爪４６の第２のガイドローラ４８ｂが記録紙１５の搬送路に対してオーバラップさせられていても、記録紙１５が搬送されるのに伴って第２のガイドローラ４８ｂが回転させられるので、印刷面１５ａと第２のガイドローラ３７ｂとが擦れることがなくなる。したがって、例えば、べた黒印刷を行った場合、印刷面１５ａにおける分離爪４６と接触する部分と接触しない部分とで光沢が等しくなるので、画像品位を向上させることができる。
【００６０】
また、腰の強い記録紙８８を使用した場合も同じ離間量が確保されるとともに、第２のガイドローラ４８ｂは上方に押し上げられるので、記録紙８８が受ける損傷を少なくすることができる。
【００６１】
ところで、何らかの原因によって記録紙１５が蛇腹状になり用紙詰りが発生した場合、第２のガイドローラ４８ｂは、記録紙１５によって押され、ホルダ４７は、スプリング１８の付勢力に抗して矢印Ｄ方向に回動させられるが、前記分離爪４６は記録紙１５によって押されて矢印Ｄ方向と反対の方向に回動させられる。
【００６２】
したがって、先端８２とヒートローラ１２とが接触させられるので、記録紙１５が先端８２とヒートローラ１２との間に入り込むことがない。
【００６３】
その結果、記録紙１５を引っ張って用紙詰りを解除しようとしたときに、記録紙１５が先端８２に引っ掛かって破れてしまうことがないので、記録紙１５の紙片が先端８２とヒートローラ１２との間に残ることはない。
【００６４】
なお、本発明は前記各実施の形態に限定されるものではなく、本発明の趣旨に基づいて種々変形させることが可能であり、それらを本発明の範囲から排除するものではない。
【図面の簡単な説明】
【００６５】
【図１】本発明の第１の実施の形態における定着装置の断面図である。
【図２】従来の定着装置の断面図である。
【図３】従来の分離爪ユニットの要部平面図である。
【図４】本発明の第１の実施の形態における分離爪ユニットの要部平面図である。
【図５】本発明の第１の実施の形態における分離爪ユニットの第１の状態を示す図である。
【図６】本発明の第１の実施の形態における分離爪ユニットの第２の状態を示す図である。
【図７】本発明の第１の実施の形態における分離爪ユニットの第３の状態を示す図である。
【図８】本発明の第１の実施の形態における用紙詰りが発生したときの状態を示す図である。
【図９】本発明の第２の実施の形態における定着装置の断面図である。
【図１０】本発明の第２の実施の形態における分離爪ユニットの要部平面図である。
【図１１】本発明の第２の実施の形態における分離爪ユニットの要部背面図である。
【図１２】本発明の第２の実施の形態における分離爪ユニットの第１の状態を示す図である。
【図１３】図１２の背面図である。
【図１４】本発明の第２の実施の形態における分離爪ユニットの第２の状態を示す図である。
【図１５】図１４の背面図である。
【図１６】本発明の第２の実施の形態における分離爪ユニットの第３の状態を示す図である。
【図１７】図１６の背面図である。
【符号の説明】
【００６６】
１２    ヒートローラ
１５、８８    記録紙
３６、４６    分離爪
３６ｂ、４６ｂ    ストッパ部
３７ａ、３７ｂ、４８ａ、４８ｂ    第１、第２のガイドローラ
４７    ホルダ
８２    先端
【図１】
2006126876.tif 000003
【図２】
2006126876.tif 000004
【図３】
2006126876.tif 000005
【図４】
2006126876.tif 000006
【図５】
2006126876.tif 000007
【図６】
2006126876.tif 000008
【図７】
2006126876.tif 000009
【図８】
2006126876.tif 000010
【図９】
2006126876.tif 000011
【図１０】
2006126876.tif 000012
【図１１】
2006126876.tif 000013
【図１２】
2006126876.tif 000014
【図１３】
2006126876.tif 000015
【図１４】
2006126876.tif 000016
【図１５】
2006126876.tif 000017
【図１６】
2006126876.tif 000018
【図１７】
2006126876.tif 000019